(57)【特許請求の範囲】
【請求項１】
取付板の入賞球入口の両側に設けられた一対のチューリップ片と、前記入賞球入口から前記取付板の裏側に向かって形成された入賞球流路と、前記チューリップ片を起立した状態と傾動した状態とに動作させるとともに前記取付板の裏側に設けられたソレノイドとを有し、前記ソレノイドと前記入賞球流路とを前記取付板の裏側の垂直投影空間内に配置させたチューリップ式役物において、
前記ソレノイドとして前記入賞球流路の両側に一対のヒンジ型ソレノイドを設け、
前記ヒンジ型ソレノイドは、
コイルと、前記コイルを巻いたコイルホビンと、前記コイルホビンの中空円筒部を挿通するとともに前記コイルホビンの両端面に接触した状態に設けられたヨークと、前記コイルホビンの一端面側で前記ヨークに枢設された可動片と、前記コイルホビンと前記可動片との間に位置するとともに前記コイルホビンの一端面側で前記ヨークに係着された復帰ばねと、を備え、
前記コイルに通電すると、起動時は前記可動片を前記コイルホビンの他端面側の前記ヨークに向かって吸引するとともに、起動後は前記可動片を前記コイルホビンの他端面側の前記ヨークに対して吸着させ、前記コイルに対する通電を解除すると、前記復帰ばねにより、前記可動片を前記コイルホビンの他端面側の前記ヨークから離間させるものであって、
前記ヒンジ型ソレノイドの一方で前記チューリップ片の一方のみを起立した状態と傾動した状態とに動作させるとともに、前記ヒンジ型ソレノイドの他方で前記チューリップ片の他方のみを起立した状態と傾動した状態とに動作させること、
前記コイルを、前記コイルと比べて大きな抵抗値をもつ主コイルと、前記コイルと比べて小さな抵抗値をもつ副コイルとで構成するとともに、
前記主コイルと前記副コイルとが並列に接続されており、起動時は前記主コイルと前記副コイルとに電圧を印加する一方、起動後は前記主コイルのみに電圧を印加する動作回路を装備し、
起動時は前記動作回路が前記主コイルと前記副コイルとに電圧を印加して、前記主コイルと前記副コイルとに通電することにより、前記可動片を前記コイルホビンの他端面側の前記ヨークに向かって吸引する一方、起動後は前記動作回路が前記主コイルのみに電圧を印加して、前記主コイルのみに通電することにより、前記可動片を前記コイルホビンの他端面側の前記ヨークに対して吸着させること、
前記コイルホビンを、前記主コイルを巻いた第１コイルホビンと、前記副コイルを巻いた第２コイルホビンとで構成するとともに、
前記第１コイルホビンと前記第２コイルホビンとの間に挟設されたヨーク部材を備え、
起動時は前記可動片を前記ヨーク部材に向かって吸引するとともに、起動後は前記可動片を前記ヨーク部材に対して吸着させること、
を特徴とするチューリップ式役物。
【請求項２】
取付板の入賞球入口の両側に設けられた一対のチューリップ片と、前記入賞球入口から前記取付板の裏側に向かって形成された入賞球流路と、前記チューリップ片を起立した状態と傾動した状態とに動作させるとともに前記取付板の裏側に設けられたソレノイドとを有し、前記ソレノイドと前記入賞球流路とを前記取付板の裏側の垂直投影空間内に配置させたチューリップ式役物において、
前記ソレノイドとして前記入賞球流路の両側に一対のヒンジ型ソレノイドを設け、
前記ヒンジ型ソレノイドは、
コイルと、前記コイルを巻いたコイルホビンと、前記コイルホビンの中空円筒部を挿通するとともに前記コイルホビンの両端面に接触した状態に設けられたヨークと、前記コイルホビンの一端面側で前記ヨークに枢設された可動片と、前記コイルホビンの一端面側で前記ヨークと前記可動片とに係着された復帰ばねと、を備え、
前記コイルに通電すると、起動時は前記可動片を前記コイルホビンの他端面側の前記ヨークに向かって吸引するとともに、起動後は前記可動片を前記コイルホビンの他端面側の前記ヨークに対して吸着させ、前記コイルに対する通電を解除すると、前記復帰ばねにより、前記可動片を前記コイルホビンの他端面側の前記ヨークから離間させるものであって、
前記ヒンジ型ソレノイドの一方で前記チューリップ片の一方のみを起立した状態と傾動した状態とに動作させるとともに、前記ヒンジ型ソレノイドの他方で前記チューリップ片の他方のみを起立した状態と傾動した状態とに動作させること、
前記コイルを、前記コイルと比べて大きな抵抗値をもつ主コイルと、前記コイルと比べて小さな抵抗値をもつ副コイルとで構成するとともに、
前記主コイルと前記副コイルとが並列に接続されており、起動時は前記主コイルと前記副コイルとに電圧を印加する一方、起動後は前記主コイルのみに電圧を印加する動作回路を装備し、
起動時は前記動作回路が前記主コイルと前記副コイルとに電圧を印加して、前記主コイルと前記副コイルとに通電することにより、前記可動片を前記コイルホビンの他端面側の前記ヨークに向かって吸引する一方、起動後は前記動作回路が前記主コイルのみに電圧を印加して、前記主コイルのみに通電することにより、前記可動片を前記コイルホビンの他端面側の前記ヨークに対して吸着させること、
前記コイルホビンを、前記主コイルを巻いた第１コイルホビンと、前記副コイルを巻いた第２コイルホビンとで構成するとともに、
前記第１コイルホビンと前記第２コイルホビンとの間に挟設されたヨーク部材を備え、
起動時は前記可動片を前記ヨーク部材に向かって吸引するとともに、起動後は前記可動片を前記ヨーク部材に対して吸着させること、
を特徴とするチューリップ式役物。
【請求項３】
請求項１又は請求項２に記載するチューリップ式役物において、
前記ヒンジ型ソレノイドは、
前記動作回路に組み込まれた磁気感応素子が起動直後に動作することにより、起動時は前記動作回路が前記主コイルと前記副コイルとに電圧を印加する一方、起動後は前記動作回路が前記主コイルのみに電圧を印加するものであること、
を特徴とするチューリップ式役物。
【請求項４】
取付板の入賞球入口の両側に設けられた一対のチューリップ片と、前記入賞球入口から前記取付板の裏側に向かって形成された入賞球流路と、前記チューリップ片を起立した状態と傾動した状態とに動作させるとともに前記取付板の裏側に設けられたソレノイドとを有し、前記ソレノイドと前記入賞球流路とを前記取付板の裏側の垂直投影空間内に配置させたチューリップ式役物において、
前記ソレノイドとして前記入賞球流路の両側に一対のヒンジ型ソレノイドを設け、
前記ヒンジ型ソレノイドは、
コイルと、前記コイルを巻いたコイルホビンと、前記コイルホビンの中空円筒部を挿通するとともに前記コイルホビンの両端面に接触した状態に設けられたヨークと、前記コイルホビンの一端面側で前記ヨークに枢設された可動片と、前記コイルホビンと前記可動片との間に位置するとともに前記コイルホビンの一端面側で前記ヨークに係着された復帰ばねと、を備え、
前記コイルに通電すると、起動時は前記可動片を前記コイルホビンの他端面側の前記ヨークに向かって吸引するとともに、起動後は前記可動片を前記コイルホビンの他端面側の前記ヨークに対して吸着させ、前記コイルに対する通電を解除すると、前記復帰ばねにより、前記可動片を前記コイルホビンの他端面側の前記ヨークから離間させるものであって、
前記ヒンジ型ソレノイドの一方で前記チューリップ片の一方のみを起立した状態と傾動した状態とに動作させるとともに、前記ヒンジ型ソレノイドの他方で前記チューリップ片の他方のみを起立した状態と傾動した状態とに動作させること、
前記コイルを、前記コイルと比べて大きな抵抗値をもつ主コイルと、前記コイルと比べて小さな抵抗値をもつ副コイルとで構成するとともに、
前記主コイルと前記副コイルとが直列に接続されており、起動時は前記副コイルのみに電圧を印加する一方、起動後は前記主コイルと前記副コイルに電圧を印加する動作回路を装備し、
起動時は前記動作回路が前記副コイルのみに電圧を印加して、前記副コイルのみに通電することにより、前記可動片を前記コイルホビンの他端面側の前記ヨークに向かって吸引する一方、起動後は前記動作回路が前記主コイルと前記副コイルに電圧を印加して、前記主コイルと前記副コイルとに通電することにより、前記可動片を前記コイルホビンの他端面側の前記ヨークに対して吸着させること、
前記コイルホビンを、前記主コイルを巻いた第１コイルホビンと、前記副コイルを巻いた第２コイルホビンとで構成するとともに、
前記第１コイルホビンと前記第２コイルホビンとの間に挟設されたヨーク部材を備え、
起動時は前記可動片を前記ヨーク部材に向かって吸引するとともに、起動後は前記可動片を前記ヨーク部材に対して吸着させること、
を特徴とするチューリップ式役物。
【請求項５】
取付板の入賞球入口の両側に設けられた一対のチューリップ片と、前記入賞球入口から前記取付板の裏側に向かって形成された入賞球流路と、前記チューリップ片を起立した状態と傾動した状態とに動作させるとともに前記取付板の裏側に設けられたソレノイドとを有し、前記ソレノイドと前記入賞球流路とを前記取付板の裏側の垂直投影空間内に配置させたチューリップ式役物において、
前記ソレノイドとして前記入賞球流路の両側に一対のヒンジ型ソレノイドを設け、
前記ヒンジ型ソレノイドは、
コイルと、前記コイルを巻いたコイルホビンと、前記コイルホビンの中空円筒部を挿通するとともに前記コイルホビンの両端面に接触した状態に設けられたヨークと、前記コイルホビンの一端面側で前記ヨークに枢設された可動片と、前記コイルホビンの一端面側で前記ヨークと前記可動片とに係着された復帰ばねと、を備え、
前記コイルに通電すると、起動時は前記可動片を前記コイルホビンの他端面側の前記ヨークに向かって吸引するとともに、起動後は前記可動片を前記コイルホビンの他端面側の前記ヨークに対して吸着させ、前記コイルに対する通電を解除すると、前記復帰ばねにより、前記可動片を前記コイルホビンの他端面側の前記ヨークから離間させるものであって、
前記ヒンジ型ソレノイドの一方で前記チューリップ片の一方のみを起立した状態と傾動した状態とに動作させるとともに、前記ヒンジ型ソレノイドの他方で前記チューリップ片の他方のみを起立した状態と傾動した状態とに動作させること、
前記コイルを、前記コイルと比べて大きな抵抗値をもつ主コイルと、前記コイルと比べて小さな抵抗値をもつ副コイルとで構成するとともに、
前記主コイルと前記副コイルとが直列に接続されており、起動時は前記副コイルのみに電圧を印加する一方、起動後は前記主コイルと前記副コイルに電圧を印加する動作回路を装備し、
起動時は前記動作回路が前記副コイルのみに電圧を印加して、前記副コイルのみに通電することにより、前記可動片を前記コイルホビンの他端面側の前記ヨークに向かって吸引する一方、起動後は前記動作回路が前記主コイルと前記副コイルに電圧を印加して、前記主コイルと前記副コイルとに通電することにより、前記可動片を前記コイルホビンの他端面側の前記ヨークに対して吸着させること、
前記コイルホビンを、前記主コイルを巻いた第１コイルホビンと、前記副コイルを巻いた第２コイルホビンとで構成するとともに、
前記第１コイルホビンと前記第２コイルホビンとの間に挟設されたヨーク部材を備え、
起動時は前記可動片を前記ヨーク部材に向かって吸引するとともに、起動後は前記可動片を前記ヨーク部材に対して吸着させること、
を特徴とするチューリップ式役物。
【請求項６】
請求項３又は請求項４に記載するチューリップ式役物において、
前記ヒンジ型ソレノイドは、
前記動作回路に組み込まれた磁気感応素子が起動直後に動作することにより、起動時は前記動作回路が前記副コイルのみに電圧を印加する一方、起動後は前記動作回路が前記主コイルと前記副コイルとに電圧を印加するものであること、
を特徴とするチューリップ式役物。
【請求項７】
請求項１乃至請求項６のいずれか１つに記載するチューリップ式役物において、
前記ヒンジ型ソレノイドの両方で前記チューリップ片の両方を同時に起立した状態に動作させるとともに、前記ヒンジ型ソレノイドの両方で前記チューリップ片の両方を同時に傾動した状態に動作させること、
を特徴とするチューリップ式役物。
【請求項８】
請求項１乃至請求項７のいずれか１つに記載するチューリップ式役物で使用されること、を特徴とするヒンジ型ソレノイド。
【発明の詳細な説明】
【０００１】
【発明の属する技術分野】
本発明は、パチンコ機で使用されるチューリップ式役物と、チューリップ式役物で使用されるヒンジ型ソレノイドに関する。
【０００２】
【従来の技術】
従来、パチンコ機で使用される入賞装置には、その入賞口が開閉するものとして、例えば、図１８〜図２１に示すチューリップ式役物１００がある。そこで、ここでは、チューリップ式役物１００について、図面を参照にして説明する。尚、図１８は、チューリップ式役物１００の正面図である。図１９は、チューリップ式役物１００の背面図である。図２０は、チューリップ式役物１００の上面図である。図２１は、図１８の線Ｂ−Ｂで切断したチューリップ式役物１００の断面図である。
【０００３】
図１８〜図２１に示すように、チューリップ式役物１００は、取付板１０１、チャッカー１０２、取付板１０１とチャッカー１０２の間で軸支された一対のチューリップ片１０３、一対のチューリップ片１０３を起立した状態と傾動した状態とに動作させるソレノイド１０４などから構成されている。また、一対のチューリップ片１０３の間には、入賞球入口１０５が取付板１０１に設けられており、さらに、入賞球入口１０５から取付板１０１の裏側に向かって、入賞球流路１０６が設けられている。また、取付板１０１の裏側に設けられたソレノイド１０４と入賞球流路１０６は、チューリップ式役物１００を正面や背面から見た場合、図１８や図１９が示すように、取付板１０１の輪郭からはみ出しておらず、取付板１０１の裏側の垂直投影空間内に配置されている。
【０００４】
特に、ソレノイド１０４については、取付板１０１の裏側の垂直投影空間内に配置させるために、ヒンジ型の構造を有したものを使用している。そこで、ここでは、ソレノイド１０４について、図面を参照にして説明する。尚、図２２は、ソレノイド１０４の背面図である。図２３は、ソレノイド１０４の側面図である。図２４は、ソレノイド１０４の上面図である。図２５は、ソレノイド１０４の底面図である。
【０００５】
図２２〜図２５に示すように、ソレノイド１０４は、抵抗値１６０Ωのコイル１１１、ヨーク１１２、ヨーク１１２に枢設された可動片１１３、ヨーク１１２に係着された一対の復帰ばね１１４、カバー１１５などから構成されている。そして、コイル１１１に対して通電がなされた場合には、可動片１１３が、図２３の二点鎖線で示すように、コイル１１１の中央に設けられた固定鉄芯１１６（図２１参照）に吸引・吸着される。一方、コイル１１１に対する通電が解除された場合には、可動片１１３が、図２３の実線で示すように、復帰ばね１１４により、コイル１１１の中央に設けられた固定鉄芯１１６（図２１参照）から離間し、カバー１１５の下側突出部に押しつけられる。
【０００６】
さらに、このような動きをする可動片１１３には、一対の突出片１１３Ａが設けられている。そして、一対の突出片１１３Ａは、チューリップ式役物１００において、一対のチューリップ片１０３の係合溝１０３Ａに遊捜された状態にある（図２１参照）。
【０００７】
従って、チューリップ式役物１００においては、ソレノイド１０４のコイル１１１に対する通電がなされていないと、可動片１１３は、図２１の実線で示すように、カバー１１５の下側突出部に押しつけられるので、一対のチューリップ片１０３は、図１８の実線で示すように、起立した状態にある。そして、ソレノイド１０４のコイル１１１に対する通電がなされると、可動片１１３は、図２１の二点鎖線で示すように、コイル１１１の中央に設けられた固定鉄芯１１６に吸引・吸着され、その際、一対の突出片１１３Ａの各々が一対のチューリップ片１０３の係合溝１０３Ａと係り合うので（図２１参照）、一対のチューリップ片１０３は、図１８の二点鎖線で示すように、傾動した状態となる。さらに、ソレノイド１０４のコイル１１１に対する通電が解除されると、可動片１１３は、図２１の実線で示すように、カバー１１５の下側突出部に押しつけられ、その際、一対の突出片１１３Ａの各々が一対のチューリップ片１０３の係合溝１０３Ａと係り合うので（図２１参照）、一対のチューリップ片１０３は、図１８の実線で示すように、起立した状態に戻る。
尚、コイル１１１に対しては、２４Ｖの電源電圧で印可されることにより、通電がなされる。
【０００８】
このように、チューリップ式役物１００においては、ソレノイド１０４のコイル１１１に対して通電がなされると、一対のチューリップ片１０３が起立した状態から傾動した状態となるので、パチンコ球の入賞率を高めることができる。さらに、チューリップ式役物１００は、図１８や図１９に示すように、ソレノイド１０４と入賞球流路１０６が、取付板１０１の裏側の垂直投影空間内に配置されていることから、パチンコ機の遊技盤への取り付けが容易である。
【０００９】
【発明が解決しようとする課題】
しかしながら、最近のパチンコ機においては、中央役物装置が巨大化し、中央役物装置の下方に配置された大入賞口との間隔は狭くなっているので、中央役物装置と大入賞口の間にチューリップ式役物１００を配置した場合、チューリップ式役物１００までパチンコ球が転動しにくくなっていた。従って、このような場合、チューリップ式役物１００では、一対のチューリップ片１０３を傾動した状態にする機会が滅多に訪れず、パチンコ球の入賞率を高める機能を十分に発揮することができなかった。そこで、パチンコ機の遊技盤に対する取付の容易性を維持しつつも、中央役物装置と大入賞口との狭い間隔に対応すべく、高さ方向を低くしたチューリップ式役物が望まれていた。
【００１０】
また、最近のパチンコ機は、その遊技内容が多様化する傾向にあり、その多様性をさらに発展させるためには、チューリップ式役物などの入賞装置の動きの多様化が不可欠になってきている。従って、チューリップ式役物１００に対しては、例えば、一対のチューリップ片１０３の各々を独立して動かすことが望まれるが、チューリップ式役物１００は、１つのソレノイド１０４で、一対のチューリップ片１０３を起立した状態と傾動した状態にしているので、一対のチューリップ片１０３の各々を独立して動かすことはできなかった。そこで、パチンコ機の遊技盤に対する取付の容易性を維持しつつも、遊技内容の多様性をさらに発展させるべく、一対のチューリップ片の各々を独立して動かすことができるチューリップ式役物が望まれていた。
【００１１】
すなわち、パチンコ機の遊技盤に対する取付の容易性を維持しつつも、高さ方向を低くし、しかも、一対のチューリップ片の各々を独立して動かすことができるチューリップ式役物が望まれていた。そのためには、一対のチューリップ片の駆動源であるソレノイドの小型化が必要となるが、ソレノイドのサイズを単純に縮小しただけでは不十分であり、ソレノイドの基本的構造を根本的に考え直す必要があった。
【００１２】
そこで、本発明は、上述した問題点を解決するためになされたものであり、パチンコ機の遊技盤に対する取付の容易性を維持しつつも、高さ方向を低くし、しかも、一対のチューリップ片の各々を独立して動かすことができるチューリップ式役物を提供すること、及び、そのチューリップ式役物で使用するヒンジ型ソレノイドを提供することを課題とする。
【００１３】
【課題を解決するための手段】
この課題を解決するために成された請求項１に係る発明は、取付板の入賞球入口の両側に設けられた一対のチューリップ片と、前記入賞球入口から前記取付板の裏側に向かって形成された入賞球流路と、前記チューリップ片を起立した状態と傾動した状態とに動作させるとともに前記取付板の裏側に設けられたソレノイドとを有し、前記ソレノイドと前記入賞球流路とを前記取付板の裏側の垂直投影空間内に配置させたチューリップ式役物において、前記ソレノイドとして前記入賞球流路の両側に一対のヒンジ型ソレノイドを設け、前記ヒンジ型ソレノイドは、コイルと、前記コイルを巻いたコイルホビンと、前記コイルホビンの中空円筒部を挿通するとともに前記コイルホビンの両端面に接触した状態に設けられたヨークと、前記コイルホビンの一端面側で前記ヨークに枢設された可動片と、前記コイルホビンと前記可動片との間に位置するとともに前記コイルホビンの一端面側で前記ヨークに係着された復帰ばねと、を備え、前記コイルに通電すると、起動時は前記可動片を前記コイルホビンの他端面側の前記ヨークに向かって吸引するとともに、起動後は前記可動片を前記コイルホビンの他端面側の前記ヨークに対して吸着させ、前記コイルに対する通電を解除すると、前記復帰ばねにより、前記可動片を前記コイルホビンの他端面側の前記ヨークから離間させるものであって、前記ヒンジ型ソレノイドの一方で前記チューリップ片の一方のみを起立した状態と傾動した状態とに動作させるとともに、前記ヒンジ型ソレノイドの他方で前記チューリップ片の他方のみを起立した状態と傾動した状態とに動作させること、を特徴としている。
【００１４】
また、請求項２に係る発明は、取付板の入賞球入口の両側に設けられた一対のチューリップ片と、前記入賞球入口から前記取付板の裏側に向かって形成された入賞球流路と、前記チューリップ片を起立した状態と傾動した状態とに動作させるとともに前記取付板の裏側に設けられたソレノイドとを有し、前記ソレノイドと前記入賞球流路とを前記取付板の裏側の垂直投影空間内に配置させたチューリップ式役物において、前記ソレノイドとして前記入賞球流路の両側に一対のヒンジ型ソレノイドを設け、前記ヒンジ型ソレノイドは、コイルと、前記コイルを巻いたコイルホビンと、前記コイルホビンの中空円筒部を挿通するとともに前記コイルホビンの両端面に接触した状態に設けられたヨークと、前記コイルホビンの一端面側で前記ヨークに枢設された可動片と、前記コイルホビンの一端面側で前記ヨークと前記可動片とに係着された復帰ばねと、を備え、前記コイルに通電すると、起動時は前記可動片を前記コイルホビンの他端面側の前記ヨークに向かって吸引するとともに、起動後は前記可動片を前記コイルホビンの他端面側の前記ヨークに対して吸着させ、前記コイルに対する通電を解除すると、前記復帰ばねにより、前記可動片を前記コイルホビンの他端面側の前記ヨークから離間させるものであって、前記ヒンジ型ソレノイドの一方で前記チューリップ片の一方のみを起立した状態と傾動した状態とに動作させるとともに、前記ヒンジ型ソレノイドの他方で前記チューリップ片の他方のみを起立した状態と傾動した状態とに動作させること、を特徴としている。
【００１５】
このような特徴を有する請求項１又は請求項２に記載のチューリップ式役物では、取付板において、入賞球入口の両側に一対のチューリップ片が設けられている。また、取付板の裏側において、入賞球入口と連通する入賞球流路の両側に一対のヒンジ型ソレノイドが設けられている。そして、一方のヒンジ型ソレノイドの可動片で、一方のチューリップ片のみを起立した状態と傾動した状態とに動作させる。また、他方のヒンジ型ソレノイドの可動片で、他方のチューリップ片のみを起立した状態と傾動した状態とに動作させる。
【００１６】
従って、一対のヒンジ型ソレノイドは、一対のチューリップ片のいずれかを個別に動かすものであり、しかも、そのため、可動片を小さくすることもできるから、一対のチューリップ片の両方を動かすソレノイドほどの吸引力を必要としない。従って、磁界を形成するコイルホビンの中空円筒部の径を含めて、コイルホビンの径を小さく抑えることが可能となる。
【００１７】
さらに、請求項１に記載のチューリップ式役物では、一対のヒンジ型ソレノイドにおいて、以下により、ヒンジ型の動作を実現している。すなわち、コイルホビンの一端面側では、復帰ばねがヨークに係着されており、さらに、復帰ばねに重なるようにして、可動片がヨークに枢設されている。そして、コイルに通電がなされると、コイルホビンの他端面側で可動片がヨークに対し吸引・吸着されて、チューリップ片は傾動した状態になる。このとき、復帰ばねは、コイルホビンと可動片とに挟まれた状態となる。その後、コイルに対する通電の解除がなされると、復帰ばねにより、コイルホビンの他端面側で可動片がヨークから離間されて、チューリップ片は起立した状態になる。
【００１８】
特に、一対のヒンジ型ソレノイドにおいては、ヨークはコイルホビンの両端面に接触した状態で設けられており、また、復帰ばねはコイルホビンと可動片との間に介在するものであって、コイルホビンとヨークとの間に介在するものではないから、ヒンジ型の動作を実現するために、コイルホビンとヨークとの間にスペースを必要としない。
【００１９】
一方、請求項２に記載のチューリップ式役物では、一対のヒンジ型ソレノイドにおいて、以下により、ヒンジ型の動作を実現している。すなわち、コイルホビンの一端面側では、可動片がヨークに枢設されており、さらに、復帰ばねがヨークと可動片との間に係着されている。そして、コイルに通電がなされると、コイルホビンの他端面側で可動片がヨークに対し吸引・吸着されて、チューリップ片は傾動した状態になる。このとき、復帰ばねは、ヨークと可動片との間で延びた状態となる。その後、コイルに対する通電の解除がなされると、復帰ばねにより、コイルホビンの他端面側で可動片がヨークから離間されて、チューリップ片は起立した状態になる。
【００２０】
特に、一対のヒンジ型ソレノイドにおいては、ヨークはコイルホビンの両端面に接触した状態で設けられており、また、復帰ばねはコイルホビンの一端面の外側に存在するものであって、コイルホビンとヨークとの間に介在するものではないから、ヒンジ型の動作を実現するために、コイルホビンとヨークとの間にスペースを必要としない。
【００２１】
そのため、請求項１又は請求項２に記載のチューリップ式役物において、一対のヒンジ型ソレノイドは、一対のチューリップ片の両方を動かすソレノイドと比べて、その大きさを大幅に小さくすることができ、また、一対のチューリップ片のいずれかを個別に動かすために、取付板の裏側で入賞球流路の両側に設けられても、取付板の裏側の垂直投影空間内に十分の余裕をもって配置することができるので、チューリップ式役物の高さ方向までも低くすることが可能となる。
【００２２】
すなわち、請求項１又は請求項２に記載のチューリップ式役物においては、一対のチューリップ片の駆動源である一対のヒンジ型ソレノイドが、一対のチューリップ片のいずれかを個別に動かすものであることから、コイルホビンの径は小さく、また、コイルホビンとヨークとの間にスペースを必要としないヒンジ構造を有するので、一対のヒンジ型ソレノイドは、取付板の裏側で入賞球流路の両側に設けられても、取付板の裏側の垂直投影空間内に十分の余裕をもって配置することが可能である。従って、請求項１又は請求項２に記載のチューリップ式役物は、パチンコ機の遊技盤に対する取付の容易性を維持しつつも、高さ方向を低くし、しかも、一対のチューリップ片の各々を独立して動かすことができる。
【００２３】
また、請求項３に係る発明は、請求項１又は請求項２に記載するチューリップ式役物において、前記ヒンジ型ソレノイドは、前記コイルを、前記コイルと比べて大きな抵抗値をもつ主コイルと、前記コイルと比べて小さな抵抗値をもつ副コイルとで構成するとともに、前記主コイルと前記副コイルとが並列に接続されており、起動時は前記主コイルと前記副コイルとに電圧を印加する一方、起動後は前記主コイルのみに電圧を印加する動作回路を装備し、起動時は前記動作回路が前記主コイルと前記副コイルとに電圧を印加して、前記主コイルと前記副コイルとに通電することにより、前記可動片を前記コイルホビンの他端面側の前記ヨークに向かって吸引する一方、起動後は前記動作回路が前記主コイルのみに電圧を印加して、前記主コイルのみに通電することにより、前記可動片を前記コイルホビンの他端面側の前記ヨークに対して吸着させること、を特徴としている。
【００２４】
また、請求項４に係る発明は、請求項３に記載するチューリップ式役物において、前記ヒンジ型ソレノイドは、前記動作回路に組み込まれた磁気感応素子が起動直後に動作することにより、起動時は前記動作回路が前記主コイルと前記副コイルとに電圧を印加する一方、起動後は前記動作回路が前記主コイルのみに電圧を印加するものであること、を特徴としている。
【００２５】
また、請求項５に係る発明は、請求項１又は請求項２に記載するチューリップ式役物において、前記ヒンジ型ソレノイドは、前記コイルを、前記コイルと比べて大きな抵抗値をもつ主コイルと、前記コイルと比べて小さな抵抗値をもつ副コイルとで構成するとともに、前記主コイルと前記副コイルとが直列に接続されており、起動時は前記副コイルのみに電圧を印加する一方、起動後は前記主コイルと前記副コイルに電圧を印加する動作回路を装備し、起動時は前記動作回路が前記副コイルのみに電圧を印加して、前記副コイルのみに通電することにより、前記可動片を前記コイルホビンの他端面側の前記ヨークに向かって吸引する一方、起動後は前記動作回路が前記主コイルと前記副コイルに電圧を印加して、前記主コイルと前記副コイルとに通電することにより、前記可動片を前記コイルホビンの他端面側の前記ヨークに対して吸着させること、を特徴としている。
【００２６】
また、請求項６に係る発明は、請求項５に記載するチューリップ式役物において、前記ヒンジ型ソレノイドは、前記動作回路に組み込まれた磁気感応素子が起動直後に動作することにより、起動時は前記動作回路が前記副コイルのみに電圧を印加する一方、起動後は前記動作回路が前記主コイルと前記副コイルとに電圧を印加するものであること、を特徴としている。
【００２７】
このような特徴を有する請求項３〜６に記載のチューリップ式役物では、請求項１又は請求項２に記載のヒンジ型ソレノイドのコイルを構成する主コイルと副コイルは、いずれも、装備された動作回路に接続されており、かかる動作回路を介して、主コイルと副コイルとに通電することができる。
【００２８】
そして、動作回路に主コイルと副コイルとが並列に接続されている場合には、起動時においては、動作回路が主コイルと副コイルとに電圧を印加して、主コイルと副コイルとに通電している。これにより、主コイルに発生した磁界と、副コイルに発生した磁界とを、ヨークと可動片とに及ぼしている。このとき、主コイルと副コイルは並列に接続されていることから、主コイルと副コイルの各々に対し、請求項１又は請求項２に記載のコイルと同じ大きさの電圧が印加されている。
【００２９】
そして、副コイルの抵抗値は請求項１又は請求項２に記載のコイルの抵抗値よりも小さいことから、請求項１又は請求項２に記載のコイルと比べ、副コイルに大きな電流が流れ、副コイルには強い磁界が発生することになる。その一方で、主コイルの抵抗値は請求項１又は請求項２に記載のコイルの抵抗値よりも大きいことから、請求項１又は請求項２に記載のコイルと比べ、主コイルに小さな電流が流れ、主コイルには弱い磁界が発生することになる。従って、請求項１又は請求項２に記載のコイルに発生する磁界と比べて、強い磁界が副コイルに発生するとともに、弱い磁界が主コイルに発生し、それらの磁界が重なり合って、ヨークと可動片とに及ぶことから、起動時に可動片をヨークに向かって吸引する力を大きくすることができる。
【００３０】
また、起動後においては、動作回路が主コイルのみに電圧を印加して、主コイルのみに通電している。これにより、主コイルに発生した磁界を、ヨークと可動片とに及ぼしている。このとき、主コイルには、請求項１又は請求項２に記載のコイルと同じ大きさの電圧が印加されている。そして、主コイルの抵抗値は請求項１又は請求項２に記載のコイルの抵抗値よりも大きいから、請求項１又は請求項２に記載のコイルと比べ、主コイルに小さな電流が流れることになる。従って、請求項１又は請求項２に記載のコイルの発熱量と比べて、起動後の発熱量を減少させることができる。
【００３１】
尚、上述したように、起動後においては、請求項１又は請求項２に記載のコイルと比べ、主コイルに小さな電流が流れるので、請求項１又は請求項２に記載のコイルに発生する磁界と比べ、弱い磁界が主コイルのみに発生し、その磁界がヨークと可動片とに及ぶことになる。しかしながら、このとき、可動片はヨークに吸着されており、可動片とヨークとの間にエアギャップが存在しないことから、起動後に可動片をヨークに対して吸着させる力を、実用的に必要な大きさ（チューリップ片を傾動した状態に維持するために必要な大きさ）で確保することに支障はない。
【００３２】
また、動作回路に主コイルと副コイルとが直列に接続されている場合には、起動時においては、動作回路が副コイルのみに電圧を印加して、副コイルのみに通電している。これにより、副コイルに発生した磁界のみを、ヨークと可動片に及ぼしている。このとき、副コイルには、請求項１又は請求項２に記載のコイルと同じ大きさの電圧が印加されている。
【００３３】
そして、副コイルの抵抗値は請求項１又は請求項２に記載のコイルの抵抗値よりも小さいことから、請求項１又は請求項２に記載のコイルと比べ、副コイルに大きな電流が流れ、副コイルには強い磁界が発生することになる。従って、請求項１又は請求項２に記載のコイルに発生する磁界と比べて、強い磁界が副コイルに発生し、その磁界がヨークと可動片とに及ぶことから、起動時に可動片をヨークに向かって吸引する力を大きくすることができる。
【００３４】
また、起動後においては、動作回路が主コイルと副コイルとに電圧を印加して、主コイルと副コイルとに通電している。これにより、主コイルに発生した磁界と、副コイルに発生した磁界とを、ヨークと可動片とに及ぼしている。このとき、主コイルと副コイルは直列に接続されていることから、主コイルと副コイルの全体に対し、請求項１又は請求項２に記載のコイルと同じ大きさの電圧が印加されている。また、副コイルの抵抗値は請求項１又は請求項２に記載のコイルの抵抗値よりも小さいが、主コイルの抵抗値は請求項１又は請求項２に記載のコイルの抵抗値よりも大きいから、直列に接続された主コイルと副コイルの全体には、請求項１又は請求項２に記載のコイルと比べ、小さな電流が流れることになる。従って、請求項１又は請求項２に記載のコイルの発熱量と比べて、起動後の発熱量を減少させることができる。
【００３５】
尚、上述したように、起動後においては、直列に接続された主コイルと副コイルの全体には、請求項１又は請求項２に記載のコイルと比べ、小さな電流しか流れない。従って、主コイルに発生する磁界と、副コイルに発生する磁界とが、重なり合っても、請求項１又は請求項２に記載のコイルに発生する磁界と比べて弱く、その弱い磁界が、ヨークと可動片とに及ぶことになる。しかしながら、このとき、可動片はヨークに吸着されており、可動片とヨークとの間にエアギャップが存在しないことから、起動後に可動鉄片をヨークに対して吸着させる力を、実用的に必要な大きさ（チューリップ片を傾動した状態に維持するために必要な大きさ）で確保することに支障はない。
【００３６】
すなわち、請求項３〜６に記載のチューリプ式役物では、ヒンジ型ソレノイドにおいて、請求項１又は請求項２に記載のヒンジ型ソレノイドのコイルを主コイルと副コイルとの構成にし、主コイルの抵抗値を請求項１又は請求項２に記載のコイルよりも大きくするとともに副コイルの抵抗値を請求項１又は請求項２に記載のコイルよりも小さくし、主コイルと副コイルとを並列又は直列に接続した動作回路で、主コイル又は副コイルに対して通電することにより、起動時には、請求項１又は請求項２に記載のコイルよりも強い電流を流すことができ、起動後には、請求項１又は請求項２に記載のコイルよりも弱い電流を流すことができることから、起動時に可動片をヨークに向かって吸引する力を大きくするとともに、起動後の発熱量の増加を抑えることが可能となる。
【００３７】
また、起動時に可動片をヨークに向かって吸引する力を大きくすることは、より力強く、よりスピーディに、チューリップ片を起立状態から傾動状態に移行させることができるから、パチンコ機の遊技者に与える印象は良い。
【００３８】
また、起動時には、請求項１又は請求項２に記載のコイルよりも強い電流が流れることになるが、起動時の一瞬における出来事で、これによる発熱量の増加は僅かであり、また、起動後には、請求項１又は請求項２に記載のコイルよりも弱い電流を流しており、起動後の発熱量は、むしろ大幅に減少させることができるから、トータルとしての発熱量は減少することとなって、消費電力の低下につながることになる。
【００３９】
また、請求項３又は請求項４に記載のチューリプ式役物のヒンジ型ソレノイドでは、動作回路に主コイルと副コイルとが並列に接続されており、起動時において、請求項１又は請求項２に記載のコイルに発生する磁界と比べ、強い磁界が副コイルに発生するとともに、弱い磁界が主コイルに発生し、それらの磁界が重なり合って、ヨークと可動片とに及ぶ一方、請求項５又は請求項６に記載のチューリプ式役物のヒンジ型ソレノイドでは、動作回路に主コイルと副コイルとが直列に接続されており、起動時において、請求項１又は請求項２に記載のコイルに発生する磁界と比べ、強い磁界が副コイルのみに発生し、その磁界がヨークと可動片とに及ぶ。従って、起動時においては、請求項３又は請求項４に記載のチューリプ式役物のヒンジ型ソレノイド（動作回路に主コイルと副コイルとが並列に接続されている場合）の方が、主コイルに発生する弱い磁界の分だけ、請求項５又は請求項６に記載のチューリプ式役物のヒンジ型ソレノイド（動作回路に主コイルと副コイルとが直列に接続されている場合）よりも、可動片をヨークに向かって吸引する力を大きくすることを、より効果的に行うものと言える。
【００４０】
一方、請求項５又は請求項６に記載のチューリプ式役物のヒンジ型ソレノイド（動作回路に主コイルと副コイルとが直列に接続されている場合）では、起動後において、直列に接続された主コイルと副コイルの全体に対して、請求項１又は請求項２に記載のコイルと同じ電圧が印加されることより、請求項１又は請求項２に記載のコイルと比べて小さな電流が流れることになる一方、請求項３又は請求項４に記載のチューリプ式役物のヒンジ型ソレノイド（動作回路に主コイルと副コイルとが並列に接続されている場合）では、起動後において、主コイルのみに対して、請求項１又は請求項２に記載のコイルと同じ電圧が印加されることより、請求項１又は請求項２に記載のコイルと比べて小さな電流が流れることになる。従って、起動後においては、請求項５又は請求項６に記載のチューリプ式役物のヒンジ型ソレノイド（動作回路に主コイルと副コイルとが直列に接続されている場合）の方が、副コイルの抵抗値の分だけ、請求項３又は請求項４に記載のチューリプ式役物のヒンジ型ソレノイド（動作回路に主コイルと副コイルとが並列に接続されている場合）よりも、発熱量の増加を抑えること、ひいては、消費電力を低下させることを、より効果的に行うものと言える。
【００４１】
また、動作回路に組み込まれた磁気感応素子が起動直後に動作することにより、請求項３又は請求項４に記載のチューリプ式役物のヒンジ型ソレノイド（動作回路に主コイルと副コイルとが並列に接続されている場合）では、起動時は動作回路が主コイルと副コイルとに電圧を印加する一方、起動後は動作回路が主コイルのみに電圧を印加することを、また、請求項５又は請求項６に記載のチューリプ式役物のヒンジ型ソレノイド（動作回路に主コイルと副コイルとが直列に接続されている場合）では、起動時は動作回路が副コイルのみに電圧を印加する一方、起動後は動作回路が主コイルと副コイルとに電圧を印加することを行えば、起動時に発生する磁界を磁気感応素子で検出した後に、起動後の電圧の印加の態様へ移行するから、動作回路の信頼性を向上させることが可能となる。
【００４２】
また、請求項７に係る発明は、請求項３乃至請求項６のいずれか１つに記載するチューリップ式役物において、前記ヒンジ型ソレノイドは、前記コイルホビンを、前記主コイルを巻いた第１コイルホビンと、前記副コイルを巻いた第２コイルホビンとで構成するとともに、前記第１コイルホビンと前記第２コイルホビンとの間に挟設されたヨーク部材を備え、起動時は前記可動片を前記ヨーク部材に向かって吸引するとともに、起動後は前記可動片を前記ヨーク部材に対して吸着させること、を特徴としている。
【００４３】
このような特徴を有する請求項７に記載のチューリップ式役物では、ヒンジ型ソレノイドにおいて、主コイル又は副コイルに通電がなされると、コイルホビン（第１コイルホビン又は第２コイルホビン）の他端面側で可動片がヨークに対し吸引・吸着されるだけでなく、第１コイルホビンと第２コイルホビンとの間で可動片がヨーク部材に対し吸引・吸着されるので、より一層、可動片を吸引・吸着する力を大きくすることができる。
【００４４】
尚、請求項７に記載のチューリップ式役物では、第１コイルホビンと第２コイルホビンとの間で可動片がヨーク部材に対し吸引・吸着されるので、コイルホビン（第１コイルホビン又は第２コイルホビン）の他端面側で可動片がヨークに対し吸引・吸着されなくとも、ヒンジ型ソレノイドのヒンジ型の動作は確保される。従って、請求項７に記載のチューリップ式役物では、パチンコ機の遊技盤に対する取付の容易性を維持しつつも、高さ方向を低くし、しかも、一対のチューリップ片の各々を独立して動かす観点（本発明の課題）のみからすれば、ヒンジ型ソレノイドにおいて、コイルホビン（第１コイルホビン又は第２コイルホビン）の他端面側で可動片がヨークに対し吸引・吸着されることは必要ではない。
【００４５】
また、請求項８に係るチューリップ式役物は、請求項１乃至請求項７のいずれか１つに記載するチューリップ式役物において、前記ヒンジ型ソレノイドの両方で前記チューリップ片の両方を同時に起立した状態に動作させるとともに、前記ヒンジ型ソレノイドの両方で前記チューリップ片の両方を同時に傾動した状態に動作させること、を特徴としている。
【００４６】
このような特徴を有する請求項８に記載のチューリップ式役物では、一対のチューリップ片の各々を独立して動かすことができるだけでなく、一対のチューリップ片を同時に動かす従来の動きもできるので、既存のパチンコ機の遊技内容に変化を与えるだけでなく、既存のパチンコ機の遊技内容にも対応することができる。
【００４７】
また、請求項９に係る発明は、ヒンジ型ソレノイドであって、請求項１乃至請求項８のいずれか１つに記載するチューリップ式役物で使用されること、を特徴としている。
【００４８】
すなわち、本発明のヒンジ型ソレノイドは、チューリップ式役物に使用すれば、上述した効果をチューリップ式役物に発揮させることができるものである。
【００４９】
【発明の実施の形態】
以下、本発明の実施の形態を図面を参照にして説明する。本発明の実施の形態のチューリップ式役物を、図１〜図５に示す。図１は、図２の線Ａ−Ａで切断したチューリップ式役物１０の断面図である。図２及び図３は、チューリップ式役物１０の正面図であり、説明の便宜上、チャッカー１２の一部が省略されて示してある。図４は、チューリップ式役物１０の背面図である。図５は、チューリップ式役物１０の上面図であり、説明の便宜上、取付板１１及びカバー１７の一部が断面で示されている。
【００５０】
図１〜図５に示すように、チューリップ式役物１０は、取付板１１、チャッカー１２、取付板１１とチャッカー１２との間で軸支された一対のチューリップ片１３、一対のチューリップ片１３を起立した状態（図２の状態）と傾動した状態（図３の状態）とに動作させる一対のヒンジ型ソレノイド１４などから構成されている。また、一対のチューリップ片１３の間には、入賞球入口１５が取付板１１に設けられており、さらに、入賞球入口１５から取付板１１の裏側に向かって、入賞球流路１６が設けられている。また、取付板１１の裏側に設けられた一対のヒンジ型ソレノイド１４と入賞球流路１６は、チューリップ式役物１０を正面や背面から見た場合、図２〜図４が示すように、取付板１１の輪郭からはみ出しておらず、取付板１１の裏側の垂直投影空間内に配置されている。
【００５１】
特に、一対のヒンジ型ソレノイド１４については、各々を取付板１１の裏側の垂直投影空間内に配置させるために、ヒンジ型の構造に種々の工夫がなされている。そこで、ここでは、一対のヒンジ型ソレノイド１４について、図面を参照にして説明する。尚、図６は、一対のヒンジ型ソレノイド１４の背面図である。図７は、一対のヒンジ型ソレノイド１４の下面図である。図８は、一対のヒンジ型ソレノイド１４の断面図である。
【００５２】
図６〜図８に示すように、一対のヒンジ型ソレノイド１４は、第１コイルホビン２１、第１コイルホビン２１に巻かれた抵抗値２００Ωの主コイル２２、第２コイルホビン２３、第２コイルホビン２３に巻かれた抵抗値３０Ωの副コイル２４、第１コイルホビン２１の中空円筒部及び第２コイルホビン２３の中空円筒部に挿通されるとともに第１コイルホビン２１の一端面に接面する第１ヨーク２５、第１コイルホビン２１と第２コイルホビン２３との間に挟持されたヨーク部材２６、第２コイルホビン２３の一端面に接面するとともに第１ヨーク２５と接続する第２ヨーク２７、第１ヨーク２５と第２ヨーク２７とを固定させる係止部材２７Ａ、第２ヨーク２７に枢設された可動片２８、第２ヨーク２７と係止部材２７Ａとの間で挟持された復帰ばね２９などから構成されている。
【００５３】
従って、一対のヒンジ型ソレノイド１４では、「ヨーク」は、第１ヨーク２５、第２ヨーク２７で構成されている。また、「コイル」は、主コイル２２、副コイル２４で構成されている。また、「コイルホビン」は、第１コイルホビン２１、第２コイルホビン２３で構成されている。よって、「コイルホビンの一端面側」とは、第２ヨーク２７が接面している第２コイルホビン２１の一端面の側をいい、「コイルホビンの他端面側」とは、第１ヨーク２５が接面している第１コイルホビン２１の一端面の側をいう。
尚、本実施の形態では、第１ヨーク２５は、２つの部材からなる。
【００５４】
そして、一対のヒンジ型ソレノイド１４のいずれにもおいて、主コイル２２又は副コイル２４に対して通電がなされた場合には、可動片２８が、図８の二点鎖線で示すように、第１コイルホビン２１の一端面の側の第１ヨーク２５に吸引・吸着されるとともに、第１コイルホビン２１と第２コイルホビン２３の間のヨーク部材２６にも吸引・吸着される。このとき、復帰ばね２９は、第１コイルホビン２１及び第２コイルホビン２３と可動片２８との間に挟まれるが、第１ヨーク２５の切欠部、ヨーク部材２６の切欠部、第２ヨーク部材２７の切欠部に介在するので、第１コイルホビン２１の一端面の側の第１ヨーク２５と、ヨーク部材２６とに可動片２８が接触することが可能である。
【００５５】
一方、主コイル２２又は副コイル２４に対する通電が解除された場合には、可動片２８が、図８の実線で示すように、復帰ばね２９により、第１コイルホビン２１の一端面の側の第１ヨーク２５から離間するとともに、ヨーク部材２６からも離間する。
【００５６】
また、このような動きをする可動片２８の先端には、突出片２８Ａが設けられている。そして、突出片２８Ａは、チューリップ式役物１０において、チューリップ片１３の係合溝１３Ａに遊捜された状態にある（図１〜図３参照）。すなわち、一対のヒンジ型ソレノイド１４のうち、一方のヒンジ型ソレノイド１４の可動片２８の突出片２８Ａが、一方のチューリップ片１３の係合溝１３Ａに遊捜された状態にあり、他方のヒンジ型ソレノイド１４の可動片２８の突出片２８Ａが、他方のチューリップ片１３の係合溝１３Ａに遊捜された状態にある。
【００５７】
従って、チューリップ式役物１０では、一対のヒンジ型ソレノイド１４のいずれにもおいて、主コイル２２又は副コイル２４に対する通電がなされていないと、可動片２８は、図１の実線で示すように、復帰ばね２９で下方に付勢されているので、一対のチューリップ片１３は、図２で示すように、起立した状態にある。そして、一対のヒンジ型ソレノイド１４のいずれにもおいて、主コイル２２又は副コイル２４に対する通電がなされると、可動片２８は、図１の二点鎖線で示すように、第１コイルホビン２１の一端面の側の第１ヨーク２５に吸引・吸着されるとともに、ヨーク部材２６にも吸引・吸着され、その際、突出片２８Ａがチューリップ片１３の係合溝１３Ａと係り合うので（図３参照）、一対のチューリップ片１３は、図３で示すように、傾動した状態となる。さらに、一対のヒンジ型ソレノイド１４のいずれにもおいて、主コイル２２又は副コイル２４に対する通電が解除されると、可動片２８は、図１の実線で示すように、復帰ばね２９で下方に付勢され、その際、突出片２８Ａがチューリップ片１３の係合溝１３Ａと係り合うので（図２参照）、一対のチューリップ片１３は、図２で示すように、起立した状態に戻る。
【００５８】
このように、チューリップ式役物１０においては、一対のヒンジ型ソレノイド１４のいずれにもおいて、主コイル２２又は副コイル２４に対して通電がなされると、一対のチューリップ片１３が起立した状態から傾動した状態となるので、パチンコ球の入賞率を高めることができる。
【００５９】
また、一対のヒンジ型ソレノイド１４を個別に制御すれば、一対のチューリップ片１３を、互いに関連することなく、それぞれ独立して、起立した状態又は傾動状態にすることができるので、パチンコ機の遊技内容の多様性の発展に貢献することが可能となる。例えば、中央役物装置が３つの図柄を横一列に表示するものである場合、左端に表示された図柄が大当たり図柄のときは、一対のチューリップ片１３の一方を傾動状態にし、また、右端に表示された図柄が大当たり図柄のときは、一対のチューリップ片１３の他方を傾動状態にし、さらに、真中に表示された図柄が大当たり図柄のときは、一対のチューリップ片１３の両方を傾動状態にすれば、既存のパチンコ機の遊技内容に変化を与えることができ、遊技者の興趣を高めることができる。
【００６０】
また、一対のヒンジ型ソレノイド１４を個別に制御しても、一対のチューリップ片１３を、一緒に、起立した状態又は傾動状態にすることにより、一対のチューリップ片１３を同時に動かす従来の動きもできるので、既存のパチンコ機の遊技内容に変化を与えるだけでなく、既存のパチンコ機の遊技内容にも対応することができる。
【００６１】
さらに、チューリップ式役物１０では、図２〜図４に示すように、一対のヒンジ型ソレノイド１４と入賞球流路１６が、取付板１１の裏側の垂直投影空間内に配置されており、何も取付板１１の輪郭からはみ出していないので、チューリップ式役物１０をパチンコ機の遊技盤へ容易に取り付けることができる。尚、主コイル２２又は副コイル２４に対しては、２４Ｖの電源電圧Ｖｃｃが印加されることにより、通電がなされる。
【００６２】
以上詳細に説明したように、本実施の形態のチューリップ式役物１０では、取付板１１において、入賞球入口１５の両側に一対のチューリップ片１３が設けられている（図２、図３参照）。また、取付板１１の裏側において、入賞球入口１５と連通する入賞球流路１６の両側に一対のヒンジ型ソレノイド１４が設けられている（図４参照）。そして、一方のヒンジ型ソレノイド１４の可動片２８で、一方のチューリップ片１３のみを起立した状態と傾動した状態とに動作させる。また、他方のヒンジ型ソレノイド１４の可動片２８で、他方のチューリップ片１３のみを起立した状態と傾動した状態とに動作させる。
【００６３】
従って、一対のヒンジ型ソレノイド１４は、一対のチューリップ片１３のいずれかを個別に動かすものであり、しかも、そのため、従来技術の可動片１１３（図２５参照）と比べ、可動片２８を小さくすることもできるから、一対のチューリップ片１０３の両方を動かす従来技術のソレノイド１０４（図１９〜図２５参照）ほどの吸引力を必要としない。従って、磁界を形成する第１コイルホビン２１の中空円筒部の径や第２コイルホビン２３の中空円筒部の径を含めて、第１コイルホビン２１の径や第２コイルホビン２３の径を小さく抑えることが可能となる。
【００６４】
さらに、一対のヒンジ型ソレノイド１４においては、以下により、ヒンジ型の動作を実現している。すなわち、第２コイルホビン２３の一端面側では、復帰ばね２９が第２ヨーク２７に係止部材２７Ａで係着されており、さらに、復帰ばね２９に重なるようにして、可動片２８が第２ヨーク２７に枢設されている。そして、第１コイル２２又は第２コイル２４に通電がなされると、第１コイルホビン２１の一端面側で可動片２８が第１ヨーク２５に対し吸引・吸着されるとともに、ヨーク部材２６にも吸引・吸着されて、チューリップ片１３は傾動した状態になる。このとき、復帰ばね２９は、第１コイルホビン２１及び第２コイルホビン２３と可動片２８とに挟まれた状態となる。その後、第１コイル２２又は第２コイル２４に対する通電の解除がなされると、復帰ばね２９により、第１コイルホビン２１の一端面側で可動片２８が第１ヨーク２５から離間するとともに、ヨーク部材２６からも離間して、チューリップ片１３は起立した状態になる。
【００６５】
特に、一対のヒンジ型ソレノイド１４においては、ヨーク（第１ヨーク２５、ヨーク部材２６、第２ヨーク２７）は、コイルホビン（第１コイルホビン２１、第２コイルホビン２３）の両端面に接触した状態で設けられており、また、復帰ばね２９はコイルホビン（第１コイルホビン２１、第２コイルホビン２３）と可動片２８との間に介在するものであって、コイルホビン（第１コイルホビン２１、第２コイルホビン２３）とヨーク（第１ヨーク２５、ヨーク部材２６、第２ヨーク２７）との間に介在するものではないから、ヒンジ型の動作を実現するために、コイルホビン（第１コイルホビン２１、第２コイルホビン２３）とヨーク（第１ヨーク２５、ヨーク部材２６、第２ヨーク２７）との間にスペースを必要としない。
【００６６】
そのため、一対のヒンジ型ソレノイド１４は、一対のチューリップ片１０３の両方を動かす従来技術のソレノイド１０４と比べて（図１９〜図２５参照）、その大きさを大幅に小さくすることができ、また、一対のチューリップ片１３のいずれかを個別に動かすために、取付板１１の裏側で入賞球流路１６の両側に設けられても、取付板１１の裏側の垂直投影空間内に十分の余裕をもって配置することができるので、チューリップ式役物１０の高さ方向までも低くすることが可能となる。例えば、図１〜図４には、取付板１１の上側輪郭に従来技術の取付板１０１の上側輪郭を重ね合わせた際の、従来技術の取付板１０１の下側輪郭を二点鎖線で示しているが、取付板１１の下側輪郭との差は約５ｍｍにも及ぶ。
【００６７】
すなわち、本実施の形態のチューリップ式役物１０においては、一対のチューリップ片１３の駆動源である一対のヒンジ型ソレノイド１４が、一対のチューリップ片１３のいずれかを個別に動かすものであることから、コイルホビン（第１コイルホビン２１、第２コイルホビン２３）の径は小さく、また、コイルホビン（第１コイルホビン２１、第２コイルホビン２３）とヨーク（第１ヨーク２５、ヨーク部材２６、第２ヨーク２７）との間にスペースを必要としないヒンジ構造を有するので、一対のヒンジ型ソレノイド１４は、取付板１１の裏側で入賞球流路１６の両側に設けられても、取付板１１の裏側の垂直投影空間内に十分の余裕をもって配置することが可能である。従って、本実施の形態のチューリップ式役物１０は、パチンコ機の遊技盤に対する取付の容易性を維持しつつも、高さ方向を低くし、しかも、一対のチューリップ片１３の各々を独立して動かすことができる。
【００６８】
尚、チューリップ式役物１０においては、上述した一対のヒンジ型ソレノイド１４にかわって、図１０にその断面を示した一対のヒンジ型ソレノイド４４を使用することもできる。図１０に示すように、一対のヒンジ型ソレノイド４４は、コイルホビン３１、コイルホビン３１に巻かれた抵抗値２００Ωの主コイル３２、コイルホビン３１の主コイル３２の外側に巻かれた抵抗値３０Ωの副コイル３４、コイルホビン３１の中空円筒部に挿通されるとともにコイルホビン３１の一端面に接面する第１ヨーク３５、コイルホビン３１の他端面に接面するとともに第１ヨーク３５と接続する第２ヨーク３７、第１ヨーク３５と第２ヨーク３７とを固定させる係止部材３７Ａ、第２ヨーク３７に枢設された可動片３８、第２ヨーク３７と係止部材３７Ａとの間で挟持された復帰ばね３９などから構成されている。
【００６９】
従って、一対のヒンジ型ソレノイド４４において、「ヨーク」は、第１ヨーク３５、第２ヨーク３７で構成されている。
尚、本実施の形態では、第１ヨーク３５は、２つの部材からなる。また、可動片３８の先端に設けられた突出片３８Ａは、チューリップ式役物１０において、チューリップ片１３の係合溝１３Ａに遊捜される。
【００７０】
また、チューリップ式役物１０においては、上述した一対のヒンジ型ソレノイド１４、一対のヒンジ型ソレノイド４４にかわって、図１１にその断面を示した一対のヒンジ型ソレノイド６４を使用することもできる。図１１に示すように、一対のヒンジ型ソレノイド６４は、コイルホビン５１、コイルホビン５１に巻かれた抵抗値１６０Ωのコイル５２、コイルホビン５１の中空円筒部に挿通されるとともにコイルホビン５１の一端面に接面する第１ヨーク５５、コイルホビン５１の他端面に接面するとともに第１ヨーク５５と接続する第２ヨーク５７、第１ヨーク５５と第２ヨーク５７とを固定させる係止部材５７Ａ、第２ヨーク５７に枢設された可動片５８、第２ヨーク５７と係止部材５７Ａとの間で挟持された復帰ばね５９などから構成されている。
【００７１】
従って、一対のヒンジ型ソレノイド６４において、「ヨーク」は、第１ヨーク５５、第２ヨーク５７で構成されている。
尚、本実施の形態では、第１ヨーク５５は、２つの部材からなる。また、可動片５８の先端に設けられた突出片５８Ａは、チューリップ式役物１０において、チューリップ片１３の係合溝１３Ａに遊捜される。
【００７２】
また、一対のヒンジ型ソレノイド６４では、「コイル」はコイル５２のみであって、一対のヒンジ型ソレノイド１４、一対のヒンジ型ソレノイド４４とは異なり、主コイルや副コイルを持たない。しかし、チューリップ式役物１０において、一対のヒンジ型ソレノイド１４、一対のヒンジ型ソレノイド４４にかわって、一対のヒンジ型ソレノイド６４を使用しても、パチンコ機の遊技盤に対する取付の容易性を維持しつつも、高さ方向を低くし、しかも、一対のチューリップ片１３の各々を独立して動かすことは可能である。
【００７３】
但し、コイル５２の抵抗値である１６０Ωは、従来技術のソレノイド１０４のコイル１１１の抵抗値と同じであることから（図１９〜図２５参照）、一対のヒンジ型ソレノイド６４では、従来技術のソレノイド１０４に比べ（図１９〜図２５参照）、大幅に小型化されたにもかかわらず、殆ど同じ発熱量が生じる。もっとも、発熱量の減少を図るためには、コイル５２の抵抗値を大きくすればよいが、これでは、コイル５２の吸引力も減少して、チューリップ片１３の駆動源として使用できないおそれがある。そこで、一対のヒンジ型ソレノイド１４では、抵抗値が互いに異なる主コイル２２と副コイル２４とを有するとともに、主コイル２２と副コイル２４との通電の仕方を工夫することにより、発熱量の減少を図る一方で、吸引力を逆に大きくしている。尚、一対のヒンジ型ソレノイド４４でも、同様であり、抵抗値が互いに異なる主コイル３２と副コイル３４とを有するとともに、主コイル３２と副コイル３４との通電の仕方を工夫することにより、発熱量の減少を図る一方で、吸引力を逆に大きくしている。
【００７４】
以下は、チューリップ式役物１０において、一対のヒンジ型ソレノイド１４の主コイル２２と副コイル２４との通電の仕方について説明する。
【００７５】
図１や図４に示すように、チューリップ式役物１０においては、動作回路基板１８、動作回路基板１８に対するコネクター１９が備え付けられている。また、動作回路基板１８には、一対のヒンジ型ソレノイド１４それぞれ専用の動作回路が組み込まれている。そして、一対のヒンジ型ソレノイド１４のいずれにおいても、上述したように、主コイル２２と副コイル２４とで、「コイル」を構成しているが、主コイル２２と副コイル２４は、いずれも、動作回路基板１８の動作回路に接続されており、動作回路基板１８の動作回路を介して、主コイル２２と副コイル２４とに通電することができる。
【００７６】
そこで、主コイル２２と副コイル２４とが接続された動作回路基板１８の動作回路について説明する。図１２と図１４に示すように、動作回路基板１８の動作回路は、磁気感応素子３０、３個のダイオードＤ１〜Ｄ３、４個のトランジスタＴｒ１〜Ｔｒ４、８個の抵抗素子Ｒ１〜Ｒ８から構成されている。そして、動作回路基板１８の動作回路に対して、主コイル２２と副コイル２４とを接続する態様には、図１２の並列接続と、図１４の直接接続とがある。
【００７７】
そして、図１２に示すように、動作回路基板１８の動作回路に主コイル２２と副コイル２４とが並列に接続されている場合には、起動時においては、動作回路基板１８の動作回路が主コイル２２と副コイル２４とに電圧を印加して、主コイル２２と副コイル２４とに通電している。これにより、主コイル２２と副コイル２４とに、磁界を発生させている。このとき、主コイル２２と副コイル２４は並列に接続されていることから、主コイル２２と副コイル２４の各々に対し、図１１の一対のヒンジ型ソレノイド６４のコイル５２と同じ大きさの、２４Ｖの電源電圧Ｖｃｃが印加されている。
【００７８】
そして、副コイル２４の抵抗値３０Ωは、図１１の一対のヒンジ型ソレノイド６４のコイル５２の抵抗値１６０Ωよりも小さいことから、図１１の一対のヒンジ型ソレノイド６４のコイル５２と比べ、副コイル２４に大きな電流が流れ、副コイル２４には強い磁界が発生することになる。その一方で、主コイル２２の抵抗値２００Ωは、図１１の一対のヒンジ型ソレノイド６４のコイル５２の抵抗値１６０Ωよりも大きいことから、図１１の一対のヒンジ型ソレノイド６４のコイル５２と比べ、主コイル２２に小さな電流が流れ、主コイル２２には弱い磁界が発生することになる。従って、図１１の一対のヒンジ型ソレノイド６４のコイル５２に発生する磁界と比べて、強い磁界が副コイル２４に発生するとともに、弱い磁界が主コイル２２に発生し、それらの磁界が重なり合って、可動片２８とヨーク（第１ヨーク２５、ヨーク部材２６、第２ヨーク２７）とに及ぶことから、起動時に可動片２８を第１ヨーク２５とヨーク部材２６とに向かって吸引する力を大きくすることができる。
【００７９】
また、起動直後の動作回路基板１８の動作回路においては、主コイル２２に発生した磁界と副コイル２４に発生した磁界とを磁気感応素子３０が検知するので、トランジスタＴｒ４が切れることになる。
【００８０】
従って、起動後においては、動作回路基板１８の動作回路が主コイル２２のみに電圧を印加して、主コイル２２のみに電流を流している。これにより、主コイル２２に発生した磁界を、可動片２８とヨーク（第１ヨーク２５、ヨーク部材２６、第２ヨーク２７）とに及ぼしている。このとき、主コイル２２には、図１１の一対のヒンジ型ソレノイド６４のコイル５２と同じ大きさの、２４Ｖの電源電圧Ｖｃｃが印加されている。そして、主コイル２２の抵抗値２００Ωは、図１１の一対のヒンジ型ソレノイド６４のコイル５２の抵抗値１６０Ωよりも大きいから、図１１の一対のヒンジ型ソレノイド６４のコイル５２と比べ、主コイル２２に小さな電流が流れることになる。従って、図１１の一対のヒンジ型ソレノイド６４のコイル５２の発熱量と比べて、起動後の発熱量を減少させることができる。
【００８１】
図１３は、主コイル２２と副コイル２４の電圧−電流の特性を示した図である。上述したように、起動時には、主コイル２２と副コイル２４の各々に対し、２４Ｖの電源電圧Ｖｃｃが印加されるので、主コイル２２には１２０ｍＡ、副コイル６には８００ｍＡの電流が流れることになる。よって、主コイル２２と副コイル２４において、合計して、９２０ｍＡの電流Ｉｃが流れることになる。また、起動後には、主コイル２２のみに対し、２４Ｖの電源電圧Ｖｃｃが印加されるので、主コイル２２のみに１２０ｍＡの電流が流れることになる。よって、主コイル２２と副コイル２４において、合計して、１２０ｍＡの電流Ｉｃ′が流れることになる。一方、図１１の一対のヒンジ型ソレノイド６４のコイル５２においては、起動時も起動後も、１５０ｍＡの電流が流れる。従って、図１１の一対のヒンジ型ソレノイド６４と比べ、起動時の吸引力を大きくすることができるとともに、起動後の発熱量を減少させることができる。
【００８２】
尚、起動後においては、図１１の一対のヒンジ型ソレノイド６４のコイル５２に流れる１５０ｍＡの電流より、小さな、１２０ｍＡの電流が主コイル２２に流れるので、図１１の一対のヒンジ型ソレノイド６４のコイル５２に発生する磁界と比べ、弱い磁界が主コイル２２のみに発生し、その磁界が可動片２８とヨーク（第１ヨーク２５、ヨーク部材２６、第２ヨーク２７）とに及ぶことになる。しかしながら、このとき、可動片２８は第１ヨーク２５とヨーク部材２６とに吸着されており、可動片２８と第１ヨーク２５及びヨーク部材２６との間にエアギャップが存在しないことから、起動後に可動片２８を第１ヨーク２５及びヨーク部材２６に対して吸着させる力を、実用的に必要な大きさで確保することに支障はない。
【００８３】
また、図１４に示すように、動作回路基板１８の動作回路に主コイル２２と副コイル２４とが直列に接続されている場合には、起動時においては、動作回路基板１８の動作回路が副コイル２４のみに電圧を印加して、副コイル２４のみに電流を流している。これにより、副コイル２４に発生した磁界のみを、可動片２８とヨーク（第１ヨーク２５、ヨーク部材２６、第２ヨーク２７）とに及ぼしている。このとき、副コイル２４には、図１１の一対のヒンジ型ソレノイド６４のコイル５２と同じ大きさの、２４Ｖの電源電圧Ｖｃｃが印加されている。
【００８４】
そして、副コイル２４の抵抗値３０Ωは、図１１の一対のヒンジ型ソレノイド６４のコイル５２の抵抗値１６０Ωよりも小さいことから、図１１の一対のヒンジ型ソレノイド６４のコイル５２と比べ、副コイル２４に大きな電流が流れ、副コイル２４には強い磁界が発生することになる。従って、図１１の一対のヒンジ型ソレノイド６４のコイル５２に発生する磁界と比べて、強い磁界が副コイル２４に発生し、その磁界が可動片２８とヨーク（第１ヨーク２５、ヨーク部材２６、第２ヨーク２７）とに及ぶことから、起動時に可動片２８を第１ヨーク２５とヨーク部材２６とに向かって吸引する力を大きくすることができる。
【００８５】
また、起動直後の動作回路基板１８の動作回路においては、副コイル２４に発生した磁界を磁気感応素子３０が検知するので、トランジスタＴｒ４が切れることになる。
【００８６】
従って、起動後においては、動作回路基板１８の動作回路が主コイル２２と副コイル２４とに電圧を印加して、主コイル２２と副コイル２４とに電流を流している。これにより、主コイル２２に発生した磁界と、副コイル２４に発生した磁界とを、可動片２８とヨーク（第１ヨーク２５、ヨーク部材２６、第２ヨーク２７）とに及ぼしている。このとき、主コイル２２と副コイル２４は直列に接続されていることから、主コイル２２と副コイル２４の全体に対し、図１１の一対のヒンジ型ソレノイド６４のコイル５２と同じ大きさの、２４Ｖの電源電圧Ｖｃｃが印加されている。また、副コイル２４の抵抗値３０Ωは、図１１の一対のヒンジ型ソレノイド６４のコイル５２の抵抗値１６０Ωよりも小さいが、主コイル２２の抵抗値２００Ωは、図１１の一対のヒンジ型ソレノイド６４のコイル５２の抵抗値１６０Ωよりも大きいから、直列に接続された主コイル２２と副コイル２４の全体には、図１１の一対のヒンジ型ソレノイド６４のコイル５２と比べ、小さな電流が流れることになる。従って、図１１の一対のヒンジ型ソレノイド６４のコイル５２の発熱量と比べて、起動後の発熱量を減少させることができる。
【００８７】
図１５は、主コイル２２と副コイル２４の電圧−電流の特性を示した図である。上述したように、起動時には、副コイル２４のみに対し、２４Ｖの電源電圧Ｖｃｃが印加されるので、副コイル２４のみに８００ｍＡの電流が流れることになる。よって、主コイル２２と副コイル２４において、合計して、８００ｍＡの電流Ｉｃ′′が流れることになる。また、起動後には、主コイル２２と副コイル２４の全体に対し、２４Ｖの電源電圧Ｖｃｃが印加されるので、主コイル２２には約２０．９Ｖの電圧Ｖｃｃ′が、副コイル２４には約３．１Ｖの電圧Ｖｃｃ′′が、それぞれ印加されることになる。そして、主コイル２２と副コイル２４において、合計して、約１０４ｍＡの電流Ｉｃ′′′が流れることになる。一方、図１１の一対のヒンジ型ソレノイド６４のコイル５２においては、起動時も起動後も、１５０ｍＡの電流が流れる。従って、図１１の一対のヒンジ型ソレノイド６４と比べ、起動時の吸引力を大きくすることができるとともに、起動後の発熱量を減少させることができる。
【００８８】
尚、上述したように、起動後においては、直列に接続された主コイル２２と副コイル２４の全体には、図１１の一対のヒンジ型ソレノイド６４のコイル５２に流れる１５０ｍＡの電流と比べ、小さな約１０４ｍＡの電流しか流れない。従って、主コイル２２に発生する磁界と、副コイル２４に発生する磁界とが、重なり合っても、図１１の一対のヒンジ型ソレノイド６４のコイル５２に発生する磁界と比べて弱く、その弱い磁界が、可動片２８とヨーク（第１ヨーク２５、ヨーク部材２６、第２ヨーク２７）とに及ぶことになる。しかしながら、このとき、可動片２８は第１ヨーク２５とヨーク部材２６とに吸着されており、可動片２８と第１ヨーク２５及びヨーク部材２６との間にエアギャップが存在しないことから、起動後に可動片２８を第１ヨーク２５及びヨーク部材２６に対して吸着させる力を、実用的に必要な大きさで確保することに支障はない。
【００８９】
すなわち、本実施の形態のチューリップ式役物１０では、一対のヒンジ型ソレノイド１４において、図１１の一対のヒンジ型ソレノイド６４のコイル５２を主コイル２２と副コイル２４との構成にし、主コイル２２の抵抗値を、図１１の一対のヒンジ型ソレノイド６４のコイル５２よりも大きくするとともに、副コイル２４の抵抗値を、図１１の一対のヒンジ型ソレノイド６４のコイル５２よりも小さくし、主コイル２２と副コイル２４とを並列又は直列に接続した動作回路基板１８の動作回路で、主コイル２２又は副コイル２４に対して通電することにより、起動時には、図１１の一対のヒンジ型ソレノイド６４のコイル５２よりも強い電流を流すことができ、起動後には、図１１の一対のヒンジ型ソレノイド６４のコイル５２よりも弱い電流を流すことができることから、起動時に可動片２８を第１ヨーク２５及びヨーク部材２６に向かって吸引する力を大きくするとともに、起動後の発熱量の増加を抑えることが可能となる。
【００９０】
また、起動時に可動片２８を第１ヨーク２５及びヨーク部材２６に向かって吸引する力を大きくすることは、より力強く、よりスピーディに、チューリップ片１３を起立状態から傾動状態に移行させることができるから、パチンコ機の遊技者に与える印象は良い。
【００９１】
また、起動時には、図１１の一対のヒンジ型ソレノイド６４のコイル５２よりも強い電流が流れることになるが、起動時の一瞬（０．０５〜０．１秒）における出来事で、これによる発熱量の増加は僅かであり、また、起動後には、図１１の一対のヒンジ型ソレノイド６４のコイル５２よりも弱い電流を流しており、起動後の発熱量は、むしろ大幅に減少させることができるから、トータルとしての発熱量は減少することとなって、消費電力の低下につながることになる。
【００９２】
また、本実施の形態のチューリプ式役物１０のヒンジ型ソレノイド１４において、動作回路基板１８の動作回路に主コイル２２と副コイル２４とが並列に接続されている場合には（図１２参照）、起動時において、図１１の一対のヒンジ型ソレノイド６４のコイル５２に発生する磁界と比べ、強い磁界が副コイル２４に発生するとともに、弱い磁界が主コイル２２に発生し、それらの磁界が重なり合って、可動片２８とヨーク（第１ヨーク２５、ヨーク部材２６、第２ヨーク２７）とに及ぶ一方、動作回路基板１８の動作回路に主コイル２２と副コイル２４とが直列に接続されている場合には（図１４参照）、起動時において、図１１の一対のヒンジ型ソレノイド６４のコイル５２に発生する磁界と比べ、強い磁界が副コイル２４のみに発生し、その磁界が可動片２８とヨーク（第１ヨーク２５、ヨーク部材２６、第２ヨーク２７）とに及ぶ。従って、起動時においては、動作回路基板１８の動作回路に主コイル２２と副コイル２４とが並列に接続されている場合（図１２参照）の方が、主コイル２２に発生する弱い磁界の分だけ、動作回路基板１８の動作回路に主コイル２２と副コイル２４とが直列に接続されている場合（図１４参照）よりも、可動片２８を第１ヨーク２５及びヨーク部材２６に向かって吸引する力を大きくすることを、より効果的に行うものと言える。
【００９３】
一方、動作回路基板１８の動作回路に主コイル２２と副コイル２４とが直列に接続されている場合（図１４参照）では、起動後において、直列に接続された主コイル２２と副コイル２４の全体に対して、図１１の一対のヒンジ型ソレノイド６４のコイル５２と同じ電圧が印加されることより、図１１の一対のヒンジ型ソレノイド６４のコイル５２と比べて小さな電流が流れることになる一方、動作回路基板１８の動作回路に主コイル２２と副コイル２４とが並列に接続されている場合（図１２参照）では、起動後において、主コイル２２のみに対して、図１１の一対のヒンジ型ソレノイド６４のコイル５２と同じ電圧が印加されることより、図１１の一対のヒンジ型ソレノイド６４のコイル５２と比べて小さな電流が流れることになる。従って、起動後においては、動作回路基板１８の動作回路に主コイル２２と副コイル２４とが直列に接続されている場合（図１４参照）の方が、副コイル２４の抵抗値の分だけ、動作回路基板１８の動作回路に主コイル２２と副コイル２４とが並列に接続されている場合（図１２参照）よりも、発熱量の増加を抑えること、ひいては、消費電力を低下させることを、より効果的に行うものと言える。
【００９４】
また、動作回路基板１８の動作回路に組み込まれた磁気感応素子３０が起動直後に動作することにより、動作回路基板１８の動作回路に主コイル２２と副コイル２４とが並列に接続されている場合（図１２参照）では、起動時は動作回路基板１８の動作回路が主コイル２２と副コイル２４とに電圧を印加する一方、起動後は動作回路基板１８の動作回路が主コイル２２のみに電圧を印加することを、また、動作回路基板１８の動作回路に主コイル２２と副コイル２４とが直列に接続されている場合（図１４参照）では、起動時は動作回路基板１８の動作回路が副コイル２４のみに電圧を印加する一方、起動後は動作回路基板１８の動作回路が主コイル２２と副コイル２４とに電圧を印加することを行えば、起動時に発生する磁界を磁気感応素子３０で検出した後に、起動後の電圧の印加の態様へ移行するから、動作回路基板１８の動作回路の信頼性を向上させることが可能となる。
【００９５】
また、本実施の形態のチューリップ式役物１０において、一対のヒンジ型ソレノイド１４（図８参照）にかわって、一対のヒンジ型ソレノイド４４（図１０参照）を使用した場合でも、上述した効果を発揮することができる。
【００９６】
また、本実施の形態のチューリップ式役物１０では、一対のヒンジ型ソレノイド１４において（図８参照）、主コイル２２又は副コイル２４に通電がなされると、第１コイルホビン２１の一端面の側で可動片２８が第１ヨーク２５に対し吸引・吸着されるだけでなく、第１コイルホビン２１と第２コイルホビン２３との間で、可動片２８がヨーク部材２６に対し吸引・吸着されるので、一対のヒンジ型ソレノイド４４、６４と比べて（図１０、図１１参照）、より一層、可動片２８を吸引・吸着する力を大きくすることができる。
【００９７】
尚、本実施の形態のチューリップ式役物１０では、一対のヒンジ型ソレノイド１４において、第１コイルホビン２１と第２コイルホビン２３との間で可動片２８がヨーク部材２６に対し吸引・吸着されるので、第１コイルホビン２１の一端面の側で可動片２８が第１ヨーク２５に対し吸引・吸着されなくとも、ヒンジ型ソレノイド１４のヒンジ型の動作は確保される。従って、本実施の形態のチューリップ式役物１０では、パチンコ機の遊技盤に対する取付の容易性を維持しつつも、高さ方向を低くし、しかも、一対のチューリップ片１３の各々を独立して動かす観点（本発明の課題）のみからすれば、一対のヒンジ型ソレノイド１４において、第１コイルホビン２１の一端面の側で可動片２８が第１ヨーク２５に対し吸引・吸着されることは必要ではない。
【００９８】
以上より、一対のヒンジ型ソレノイド１４、４４、６４は（図８〜図１１参照）、チューリップ式役物１０に使用すれば、上述した効果をチューリップ式役物１０に発揮させることができるものである。
【００９９】
尚、本発明は上記実施の形態に限定されるものでなく、その趣旨を逸脱しない範囲で様々な変更が可能である。
例えば、本実施の形態のチューリップ式役物１０では、一対のヒンジ型ソレノイド１４において、磁気反応素子３０を動作回路基板１８の動作回路に組み込んでいたが、磁気反応素子３０を動作回路基板１８の動作回路に組み込まなくても、図１３や図１５の主コイル２２と副コイル２４の電圧−電流特性を実現させることは可能である。図１６は、磁気反応素子３０が組み込まれていない動作回路基板１８の動作回路に対して、主コイル２２と副コイル２４とを並列に接続する場合の一例であり、図１７は、磁気反応素子３０が組み込まれていない動作回路基板１８の動作回路に対して、主コイル２２と副コイル２４とを直列に接続する場合の一例である。
【０１００】
また、本実施の形態のチューリップ式役物１０において、図８の一対のヒンジ型ソレノイド１４、図１０の一対のヒンジ型ソレノイド４４、図１１の一対のヒンジ型ソレノイド６４にかわって、図９にその断面を示した一対のヒンジ型ソレノイド１４を使用することもできる。尚、図９の一対のヒンジ型ソレノイド１４は、図８の一対のヒンジ型ソレノイド１４の板状の復帰ばね２９にかわって、コイル状の復帰ばね６０を使用している点を除けば、図８の一対のヒンジ型ソレノイド１４と同じである。
【０１０１】
すなわち、図９の一対のヒンジ型ソレノイド１４は、第１コイルホビン２１、第１コイルホビン２１に巻かれた抵抗値２００Ωの主コイル２２、第２コイルホビン２３、第２コイルホビン２３に巻かれた抵抗値３０Ωの副コイル２４、第１コイルホビン２１の中空円筒部及び第２コイルホビン２３の中空円筒部に挿通されるとともに第１コイルホビン２１の一端面に接面する第１ヨーク２５、第１コイルホビン２１と第２コイルホビン２３との間に挟持されたヨーク部材２６、第２コイルホビン２３の一端面に接面するとともに第１ヨーク２５と接続する第２ヨーク２７、第１ヨーク２５と第２ヨーク２７とを固定させる係止部材２７Ａ、第２ヨーク２７に枢設された可動片２８、第２ヨーク２７と可動片２８との間で掛着されたコイル状の復帰ばね６０などから構成されている。
【０１０２】
従って、図９の一対のヒンジ型ソレノイド１４においては、以下により、ヒンジ型の動作を実現している。すなわち、第２コイルホビン２３の一端面側では、可動片２８が第２ヨーク２７に枢設されており、さらに、コイル状の復帰ばね６０が第２ヨーク２７と可動片２８との間に掛着されている。そして、第１コイル２２又は第２コイル２４に通電がなされると、第１コイルホビン２１の一端面側で可動片２８が第１ヨーク２５に対し吸引・吸着されるとともに、ヨーク部材２６にも吸引・吸着されて、チューリップ片１３は傾動した状態になる。このとき、コイル状の復帰ばね６０は、第２ヨーク２７と可動片２８との間で延びた状態となる。その後、第１コイル２２又は第２コイル２４に対する通電の解除がなされると、コイル状の復帰ばね６０により、第１コイルホビン２１の一端面側で可動片２８が第１ヨーク２５から離間するとともに、ヨーク部材２６からも離間して、チューリップ片１３は起立した状態になる。
【０１０３】
特に、一対のヒンジ型ソレノイド１４においては、ヨーク（第１ヨーク２５、ヨーク部材２６、第２ヨーク２７）は、コイルホビン（第１コイルホビン２１、第２コイルホビン２３）の両端面に接触した状態で設けられており、また、コイル状の復帰ばね６０はコイルホビン（第１コイルホビン２１、第２コイルホビン２３）の外側に存在するものであって、コイルホビン（第１コイルホビン２１、第２コイルホビン２３）とヨーク（第１ヨーク２５、ヨーク部材２６、第２ヨーク２７）との間に介在するものではないから、ヒンジ型の動作を実現するために、コイルホビン（第１コイルホビン２１、第２コイルホビン２３）とヨーク（第１ヨーク２５、ヨーク部材２６、第２ヨーク２７）との間にスペースを必要としない。
【０１０４】
【発明の効果】
請求項１又は請求項２に記載のチューリップ式役物においては、一対のチューリップ片の駆動源である一対のヒンジ型ソレノイドが、一対のチューリップ片のいずれかを個別に動かすものであることから、コイルホビンの径は小さく、また、コイルホビンとヨークとの間にスペースを必要としないヒンジ構造を有するので、一対のヒンジ型ソレノイドは、取付板の裏側で入賞球流路の両側に設けられても、取付板の裏側の垂直投影空間内に十分の余裕をもって配置することが可能である。従って、請求項１又は請求項２に記載のチューリップ式役物は、パチンコ機の遊技盤に対する取付の容易性を維持しつつも、高さ方向を低くし、しかも、一対のチューリップ片の各々を独立して動かすことができる。
【０１０５】
また、請求項３〜６に記載のチューリプ式役物では、ヒンジ型ソレノイドにおいて、請求項１又は請求項２に記載のヒンジ型ソレノイドのコイルを主コイルと副コイルとの構成にし、主コイルの抵抗値を請求項１又は請求項２に記載のコイルよりも大きくするとともに副コイルの抵抗値を請求項１又は請求項２に記載のコイルよりも小さくし、主コイルと副コイルとを並列又は直列に接続した動作回路で、主コイル又は副コイルに対して通電することにより、起動時には、請求項１又は請求項２に記載のコイルよりも強い電流を流すことができ、起動後には、請求項１又は請求項２に記載のコイルよりも弱い電流を流すことができることから、起動時に可動片をヨークに向かって吸引する力を大きくするとともに、起動後の発熱量の増加を抑えることが可能となる。
【０１０６】
また、起動時に可動片をヨークに向かって吸引する力を大きくすることは、より力強く、よりスピーディに、チューリップ片を起立状態から傾動状態に移行させることができるから、パチンコ機の遊技者に与える印象は良い。
【０１０７】
また、起動時には、請求項１又は請求項２に記載のコイルよりも強い電流が流れることになるが、起動時の一瞬における出来事で、これによる発熱量の増加は僅かであり、また、起動後には、請求項１又は請求項２に記載のコイルよりも弱い電流を流しており、起動後の発熱量は、むしろ大幅に減少させることができるから、トータルとしての発熱量は減少することとなって、消費電力の低下につながることになる。
【０１０８】
また、請求項３又は請求項４に記載のチューリプ式役物のヒンジ型ソレノイドでは、動作回路に主コイルと副コイルとが並列に接続されており、起動時において、請求項１又は請求項２に記載のコイルに発生する磁界と比べ、強い磁界が副コイルに発生するとともに、弱い磁界が主コイルに発生し、それらの磁界が重なり合って、ヨークと可動片とに及ぶ一方、請求項５又は請求項６に記載のチューリプ式役物のヒンジ型ソレノイドでは、動作回路に主コイルと副コイルとが直列に接続されており、起動時において、請求項１又は請求項２に記載のコイルに発生する磁界と比べ、強い磁界が副コイルのみに発生し、その磁界がヨークと可動片とに及ぶ。従って、起動時においては、請求項３又は請求項４に記載のチューリプ式役物のヒンジ型ソレノイド（動作回路に主コイルと副コイルとが並列に接続されている場合）の方が、主コイルに発生する弱い磁界の分だけ、請求項５又は請求項６に記載のチューリプ式役物のヒンジ型ソレノイド（動作回路に主コイルと副コイルとが直列に接続されている場合）よりも、可動片をヨークに向かって吸引する力を大きくすることを、より効果的に行うものと言える。
【０１０９】
一方、請求項５又は請求項６に記載のチューリプ式役物のヒンジ型ソレノイド（動作回路に主コイルと副コイルとが直列に接続されている場合）では、起動後において、直列に接続された主コイルと副コイルの全体に対して、請求項１又は請求項２に記載のコイルと同じ電圧が印加されることより、請求項１又は請求項２に記載のコイルと比べて小さな電流が流れることになる一方、請求項３又は請求項４に記載のチューリプ式役物のヒンジ型ソレノイド（動作回路に主コイルと副コイルとが並列に接続されている場合）では、起動後において、主コイルのみに対して、請求項１又は請求項２に記載のコイルと同じ電圧が印加されることより、請求項１又は請求項２に記載のコイルと比べて小さな電流が流れることになる。従って、起動後においては、請求項５又は請求項６に記載のチューリプ式役物のヒンジ型ソレノイド（動作回路に主コイルと副コイルとが直列に接続されている場合）の方が、副コイルの抵抗値の分だけ、請求項３又は請求項４に記載のチューリプ式役物のヒンジ型ソレノイド（動作回路に主コイルと副コイルとが並列に接続されている場合）よりも、発熱量の増加を抑えること、ひいては、消費電力を低下させることを、より効果的に行うものと言える。
【０１１０】
また、動作回路に組み込まれた磁気感応素子が起動直後に動作することにより、請求項３又は請求項４に記載のチューリプ式役物のヒンジ型ソレノイド（動作回路に主コイルと副コイルとが並列に接続されている場合）では、起動時は動作回路が主コイルと副コイルとに電圧を印加する一方、起動後は動作回路が主コイルのみに電圧を印加することを、また、請求項５又は請求項６に記載のチューリプ式役物のヒンジ型ソレノイド（動作回路に主コイルと副コイルとが直列に接続されている場合）では、起動時は動作回路が副コイルのみに電圧を印加する一方、起動後は動作回路が主コイルと副コイルとに電圧を印加することを行えば、起動時に発生する磁界を磁気感応素子で検出した後に、起動後の電圧の印加の態様へ移行するから、動作回路の信頼性を向上させることが可能となる。
【０１１１】
また、請求項７に記載のチューリップ式役物では、ヒンジ型ソレノイドにおいて、主コイル又は副コイルに通電がなされると、コイルホビン（第１コイルホビン又は第２コイルホビン）の他端面側で可動片がヨークに対し吸引・吸着されるだけでなく、第１コイルホビンと第２コイルホビンとの間で可動片がヨーク部材に対し吸引・吸着されるので、より一層、可動片を吸引・吸着する力を大きくすることができる。
【０１１２】
また、請求項８に記載のチューリップ式役物では、一対のチューリップ片の各々を独立して動かすことができるだけでなく、一対のチューリップ片を同時に動かす従来の動きもできるので、既存のパチンコ機の遊技内容に変化を与えるだけでなく、既存のパチンコ機の遊技内容にも対応することができる。
【０１１３】
また、本発明のヒンジ型ソレノイドは、チューリップ式役物に使用すれば、上述した効果をチューリップ式役物に発揮させることができるものである。
【図面の簡単な説明】
【図１】本実施の形態のチューリップ式役物を図２の線Ａ−Ａで切断した断面図である。
【図２】本実施の形態のチューリップ式役物の正面図であって、一対のチューリプ片が起立した状態にある際のものである。
【図３】本実施の形態のチューリップ式役物の正面図であって、一対のチューリプ片が傾動した状態にある際のものである。
【図４】本実施の形態のチューリップ式役物の背面図である。
【図５】本実施の形態のチューリップ式役物の上面図であって、取付板及びカバーの一部を断面で示したものである。
【図６】本実施の形態のチューリップ式役物で使用されるヒンジ型ソレノイドの背面図である。
【図７】本実施の形態のチューリップ式役物で使用されるヒンジ型ソレノイドの裏面図である。
【図８】本実施の形態のチューリップ式役物で使用されるヒンジ型ソレノイドの断面図である。
【図９】本実施の形態のチューリップ式役物で使用されるヒンジ型ソレノイドであって、その他の例のものの断面図である。
【図１０】本実施の形態のチューリップ式役物で使用されるヒンジ型ソレノイドであって、その他の例のものの断面図である。
【図１１】本実施の形態のチューリップ式役物で使用されるヒンジ型ソレノイドであって、その他の例のものの断面図である。
【図１２】本実施の形態のチューリップ式役物で使用されるヒンジ型ソレノイドの動作回路であって、主コイルと副コイルとが並列に接続されるとともに磁気感応素子が組み込まれたものを示す図である。
【図１３】図１２の動作回路に並列に接続された主コイルと副コイルの電圧−電流特性を示した図である。
【図１４】本実施の形態のチューリップ式役物で使用されるヒンジ型ソレノイドの動作回路であって、主コイルと副コイルとが直列に接続されるとともに磁気感応素子が組み込まれたものを示す図である。
【図１５】図１４の動作回路に直列に接続された主コイルと副コイルの電圧−電流特性を示した図である。
【図１６】本実施の形態のチューリップ式役物で使用されるヒンジ型ソレノイドの動作回路のその他の例であって、主コイルと副コイルとが並列に接続されたものを示す図である。
【図１７】本実施の形態のチューリップ式役物で使用されるヒンジ型ソレノイドの動作回路のその他の例であって、主コイルと副コイルとが直列に接続されたものを示す図である。
【図１８】従来技術のチューリップ式役物の正面図である。
【図１９】従来技術のチューリップ式役物の背面図である。
【図２０】従来技術のチューリップ式役物の上面図である。
【図２１】従来技術のチューリップ式役物を図１９の線Ｂ−Ｂで切断した断面図である。
【図２２】従来技術のチューリップ式役物で使用されるソレノイドの背面図である。
【図２３】従来技術のチューリップ式役物で使用されるソレノイドの側面図である。
【図２４】従来技術のチューリップ式役物で使用されるソレノイドの上面図である。
【図２５】従来技術のチューリップ式役物で使用されるソレノイドの底面図である。
【符号の説明】
１０  チューリップ式役物
１１  取付板
１３  チューリップ片
１４  ヒンジ型ソレノイド
１５  入賞球入口
１６  入賞球流路
１８  動作回路
２１  第１コイルホビン
２２  主コイル
２３  第２コイルホビン
２４  副コイル
２５  第１ヨーク
２６  ヨーク部材
２７  第２ヨーク
２８  可動片
２９  板状の復帰ばね
３０  磁気感応素子
６０  コイル状の復帰ばね
【図１】
0004450466.tif 000002
【図２】
0004450466.tif 000003
【図３】
0004450466.tif 000004
【図４】
0004450466.tif 000005
【図５】
0004450466.tif 000006
【図６】
0004450466.tif 000007
【図７】
0004450466.tif 000008
【図８】
0004450466.tif 000009
【図９】
0004450466.tif 000010
【図１０】
0004450466.tif 000011
【図１１】
0004450466.tif 000012
【図１２】
0004450466.tif 000013
【図１３】
0004450466.tif 000014
【図１４】
0004450466.tif 000015
【図１５】
0004450466.tif 000016
【図１６】
0004450466.tif 000017
【図１７】
0004450466.tif 000018
【図１８】
0004450466.tif 000019
【図１９】
0004450466.tif 000020
【図２０】
0004450466.tif 000021
【図２１】
0004450466.tif 000022
【図２２】
0004450466.tif 000023
【図２３】
0004450466.tif 000024
【図２４】
0004450466.tif 000025
【図２５】
0004450466.tif 000026